(57)【要約】      （修正有）【課題】  ＴＳデータに含まれるＴＳパケットデータをできる限り利用出来るようにすること。【解決手段】  復調部２０から出力されたＴＳデータＴ１は、第１同期処理回路３１０、第２同期処理回路３２０に入力される。また、同期生成回路２５０から出力された同期確立信号Ｃ１は、第２同期処理回路３２０に入力される。第２同期処理回路３２０は、同期確立信号Ｃ１に基づいて、抽出ＴＳデータＳ３と、エラー信号Ｓ５を出力する。切替回路３５０は、エラー切替回路３３２により指定されたエラー信号Ｓ５がハイレベルのときデータ切替回路３３０に指定された抽出ＴＳデータＳ３をＨ２６４デコーダ４０に出力する。また、エラー信号Ｓ５がローレベルのときはミュートデータをＨ２６４デコーダ４０に出力する。【選択図】図１
2006261775.tif 000002
【特許請求の範囲】
【請求項１】
供給されるＴＳ（Transport Stream）信号に含まれる同期を表わすデータを検出する同期検出手段と、
この同期検出手段により前記同期を表すデータが所定数連続して検出されなかった状態から当該同期信号が所定数連続して検出された状態までの期間をエラー期間としてエラー信号を出力する第１のエラー認定手段と、
前記供給されるＴＳ信号とは別に当該ＴＳ信号に対応して供給される同期信号が入力可能であり、この同期信号が供給されない期間をエラー期間としてエラー信号を出力する第２のエラー認定手段と、
前記第１及び第２のエラー認定手段から出力されるエラー信号のいずれか一方を選択出力する選択手段と、
この選択手段により選択出力されたエラー信号が供給されている期間はミュート信号を出力すると共に、当該エラー信号が供給されていない期間は前記供給されたＴＳ信号を出力する切替手段と、
を備えることを特徴とするデマルチプレクサ回路。
【請求項２】
受信された直交変調信号に含まれている信号に基づいて同期が確立しているか否かを検出するとともに、同期が確立したことが検出された場合は同期信号を出力する同期手段と、受信された直交変調信号を復調するとともに、前記同期手段により同期が確立していることが検出されている場合は、当該復調されたデータに同期を表わすデータを付加したＴＳ信号を出力する復調手段と、を有する復調回路と、
この復調回路から供給されるＴＳ信号に含まれる同期を表わすデータを検出する同期検出手段と、この同期検出手段により前記同期を表わすデータが所定数連続して検出さなかった状態から当該同期信号が所定数連続して検出された状態までの期間をエラー期間としてエラー信号を出力する第１のエラー認定手段と、前記復調回路から出力される前記同期信号が入力可能であり、この同期信号が供給されない期間をエラー期間としてエラー信号を出力する第２のエラー認定手段と、前記第１及び第２のエラー認定手段から出力されるエラー信号のいずれか一方を選択出力する選択手段と、この選択回路により選択出力されたエラー信号が供給されている期間はミュート信号を出力するとともに、当該エラー信号が供給されていない期間は前記供給されたＴＳ信号を出力する切替手段と、を有するデマルチプレクサ回路と、
を備えることを特徴とする受信回路。
【発明の詳細な説明】
【技術分野】
【０００１】
本発明は、デマルチプレクサ回路及び受信回路に関する。
【背景技術】
【０００２】
日本の地上波デジタルテレビ放送には、変調方式として複数のキャリア（搬送波）を多重化して送受信することが可能なＯＦＤＭ方式（Orthogonal Frequency Division Multiplexing：直交周波数分割多重方式）が利用されている。
【０００３】
地上波デジタルテレビ放送で利用する放送電波の周波数帯域は、４７０ＭＨｚから７７０ＭＨｚまでの３００ＭＨｚで、この周波数帯域が１３〜６２ｃｈの５０チャネルに分割されて、各放送局に割り当てられている。
【０００４】
ここで、上記地上波デジタルテレビ放送を受信するための受信回路は、外部アンテナと、チューナー部と、復調部と、デマルチプレクサ部と、デコーダ部とを備えているのが一般的である。例えば、復調部に係る発明として特許文献１が、デマルチプレクサ部に係る発明として特許文献２が知られている。
【０００５】
以下、図を用いて、地上波デジタルテレビ放送を受信するための受信回路を備えた従来の地上波デジタルテレビ放送受信装置について説明する。図６は、地上波デジタルテレビ放送受信装置９のブロック図である。同図に示すように、地上波デジタルテレビ放送受信装置９は、電波を受信するアンテナ５０と、受信した電波を増幅し所望の放送波周波数への同調を行うチューナー部６０と、主にデジタル復調及び誤り訂正等の処理を行いＴＳ（Transport Stream）データを出力する復調部７０と、ＴＳデータのエラー部分を破棄するデマルチプレクサ部８０と、デマルチプレクサ部８０から出力されたＴＳデータから映像信号及び音声信号をデコードして出力するＨ２６４デコーダ９０とから構成されている。
【０００６】
まず、複数のキャリアに情報が分割され直交変調が為された直交周波数分割多重信号（ＯＦＤＭ信号）が外部アンテナＡＮＴ５０で受信される。そして、受信された信号（受信信号）が、チューナー部６０に入力される。チューナー部６０は、入力された受信信号からユーザによって選択された放送局の周波数帯域の受信信号を抽出し、復調部７０に出力する。
【０００７】
復調部７０は、ＡＤＣ２０２と、直交検波回路２０４と、ＦＦＴ回路２０６と、復調回路２０８とを備えて構成されている。まず、チューナー部６０から入力された信号は、ＡＤＣ２０２によりデジタル信号に変換され、直交検波回路２０４に出力される。
【０００８】
直交検波回路２０４は、所定周波数のキャリア信号を用いてＡＤＣ２０２から入力された信号（ＯＦＤＭ形式の受信信号）を直交復調することにより、時間領域のＯＦＤＭ信号を出力する回路である。この時間領域のＯＦＤＭ信号は、ＦＦＴ回路２０６に出力される。
【０００９】
ＦＦＴ回路２０６は、入力された時間領域のＯＦＤＭ信号に対してＦＦＴ演算を行い、周波数領域のＯＦＤＭ信号を出力する回路である。この周波数領域のＯＦＤＭ信号は、例えば１６ＱＡＭ方式や６４ＱＡＭ方式等により直交振幅変調されている信号である。この周波数領域のＯＦＤＭ信号は、復調回路２０８に出力される。
【００１０】
復調回路２０８は、ＦＦＴ回路２０６から入力された周波数領域のＯＦＤＭ信号に含まれる同期信号（例えば、ＳＰ信号＝スキャッターパイロット信号）を利用して波形等価処理を行い、データを復調し、ＴＳデータＴ１として出力する回路である。例えば、波形等価処理が行われた信号を１６ＱＡＭ方式や６４ＱＡＭ方式に従って復調することにより、データが復調される。
【００１１】
ここで、復調回路２０８により復調されたデータは固定長のＴＳパケットデータに変換され、変換されたＴＳパケットデータが連続してＴＳデータＴ１としてデマルチプレクサ部８０に出力される。ここで、ＴＳパケットデータの構造について図７を用いて説明する。
【００１２】
図７は、ＴＳパケットデータの構造の一例を示す図である。ＴＳパケットデータは、２０４バイトの固定長のパケットであり、パケットデータ１８８バイトに、パケットデータに基づくパリティデータ１６バイトが付加されたものである。また、復調回路２０８は、ＴＳパケットデータが正常に復調されている場合、パケットデータの先頭バイト（以下、適宜「同期バイト」という。）を所定の値（例えば、「０ｘ４７」）にすることにより同期フラグをセットする。
【００１３】
デマルチプレクサ部８０は、同期回路３０２、エラー認定回路３０４、遅延回路３０６、切換回路３５０及びフィルタ回路３６０によって構成される。
【００１４】
同期回路３０２は、復調部７０から入力されるＴＳデータＴ１に含まれるＴＳパケットデータに基づいて同期判定信号をエラー認定回路３０４に出力し、且つ、当該ＴＳパケットデータを遅延回路３０６を介して切替回路３５０に出力する回路である。まず、同期回路３０２は、ＴＳデータＴ１から同期フラグ（例えば、「０ｘ４７」）を検出する。従って、全てのＴＳパケットデータの先頭バイトに同期フラグが設定されている場合には、同期回路３０２は一定周期で同期フラグを検出することとなる。同期フラグが検出されると、同期判定信号をエラー認定回路３０４に出力する。また、同期フラグから所定バイト数（２０４バイト）をＴＳパケットデータとして遅延回路３０６に出力する。なお、ＴＳデータＴ１から同期フラグが検出される周期（２０４バイト分）をパケット周期という。
【００１５】
エラー認定回路３０４は、同期回路３０２から入力された同期判定信号に基づいて同期が確立されている状態（同期状態）であるか、同期が確立されていない状態（非同期状態）であるかを認定し、非同期状態の場合にはエラー信号を出力する回路である。ここで、同期が確立されている状態とは、パケット周期と同期判定信号が入力される周期とが一致（同期）している状態である。エラー認定回路３０４は、同期判定信号が所定回数（例えば、「２」回）連続して入力されると、同期状態と認定してエラー信号の出力を行わない。また、同期判定信号が所定回数（例えば、「２」回）連続して入力されなかった場合には、非同期状態と認定してエラー信号を出力する。
【００１６】
遅延回路３０６は、同期回路３０２から出力されるＴＳパケットデータが切替回路３５０に入力されるタイミングと、エラー認定回路３０４から出力される当該ＴＳパケットデータに基づくエラー判定信号が切換回路３５０に入力されるタイミングとを調整するための遅延回路である。遅延回路３０６により同期回路３０２から出力されるＴＳパケットデータを出力する間隔が調整され、切替回路３５０に出力される。
【００１７】
切替回路３５０は、エラー認定回路３０４から入力されたエラー信号に基づいて、遅延回路３０６を介して入力されたＴＳパケットデータと、ミュートデータとを切り替えて、同期ＴＳデータとして出力する回路である。切換回路３５０は、エラー信号が入力されていない間、遅延回路３０６を介して入力されたＴＳパケットデータを同期ＴＳデータとしてフィルタ回路３６０に出力する。他方、切換回路３５０は、エラー認定回路３０４からエラー信号が入力されている間、ＴＳパケットデータの代わりにミュートデータを同期ＴＳデータとしてフィルタ回路３６０に出力する。ここで、ミュートデータとは、値が「００」（信号レベルがローレベルの信号）のデータのことをいう。
【００１８】
フィルタ回路３６０は、切換回路３５０から入力された同期ＴＳ信号のノイズ成分等を除去するフィルタ回路であり、ノイズ成分を除去した同期ＴＳ信号をＨ２６４デコーダ９０に出力する回路である。
【００１９】
Ｈ２６４デコーダ９０は、入力された同期ＴＳ信号に含まれるＴＳパケットデータをデコードし、映像信号と音声信号とをそれぞれ復号して出力する。ここでは、デコード方式としてＨ．２６４方式を利用しているが、他のデコード方式（例えば、ＭＰＥＧ４）等であっても良いことは勿論である。
【特許文献１】特開２００２−３４４４１０号公報
【特許文献２】特開２００４−２５４０８４号公報
【発明の開示】
【発明が解決しようとする課題】
【００２０】
上述したように、デマルチプレクサ部は、同期状態の場合にはＴＳパケットデータを出力し、非同期状態の場合はＴＳパケットデータの代わりにミュートデータを出力する。ここで、同期状態を認定するためには、複数の同期フラグを検出する必要があった。したがって、同期フラグが設定されているＴＳパケットデータであっても、同期状態であると認定されるまでの間に入力されたＴＳパケットデータは、デマルチプレクサ部で破棄されてしまう（ミュートデータが出力されてしまう）という問題点があった。また、地上波デジタルテレビ放送受信装置の場合、復調部で受信されたＯＦＤＭ信号に基づいて同期を確立していることから、デマルチプレクサ部において同期状態か否かを判定することは冗長であった。
【００２１】
そこで、上述した課題に鑑み、本発明の目的とするところは、ＴＳデータに含まれるＴＳパケットデータをできる限り利用出来るようにするデマルチプレクサ回路等を提供することである。
【課題を解決するための手段】
【００２２】
以上の課題を解決するために、請求項１に記載された発明のデマルチプレクサ回路は、
供給されるＴＳ（Transport Stream）信号に含まれる同期を表わすデータを検出する同期検出手段（例えば、図２の同期検出回路３１２）と、
この同期検出手段により前記同期を表すデータが所定数連続して検出されなかった状態から当該同期信号が所定数連続して検出された状態までの期間をエラー期間としてエラー信号を出力する第１のエラー認定手段（例えば、図２のエラー検出回路３１４）と、
前記供給されるＴＳ信号とは別に当該ＴＳ信号に対応して供給される同期信号が入力可能であり、この同期信号が供給されない期間をエラー期間としてエラー信号を出力する第２のエラー認定手段（例えば、図３のエラー検出回路３２２）と、
前記第１及び第２のエラー認定手段から出力されるエラー信号のいずれか一方を選択出力する選択手段（例えば、図１のエラー切換回路３３２）と、
この選択手段により選択出力されたエラー信号が供給されている期間はミュート信号を出力すると共に、当該エラー信号が供給されていない期間は前記供給されたＴＳ信号を出力する切替手段（例えば、図１の切換回路３５０）と、
を備えることを特徴とする。
【００２３】
請求項２に記載された発明の受信回路は、
受信された直交変調信号に含まれている信号に基づいて同期が確立しているか否かを検出するとともに、同期が確立したことが検出された場合は同期信号を出力する同期手段（例えば、図１の同期生成回路２５０）と、受信された直交変調信号を復調するとともに、前記同期手段により同期が確立していることが検出されている場合は、当該復調されたデータに同期を表わすデータを付加したＴＳ信号を出力する復調手段（例えば、図１の復調回路２０８）と、を有する復調回路と、
この復調回路から供給されるＴＳ信号に含まれる同期を表わすデータを検出する同期検出手段（例えば、図２の同期検出回路３１２）と、この同期検出手段により前記同期を表わすデータが所定数連続して検出さなかった状態から当該同期信号が所定数連続して検出された状態までの期間をエラー期間としてエラー信号を出力する第１のエラー認定手段（例えば、図２のエラー検出回路３１４）と、前記復調回路から出力される前記同期信号が入力可能であり、この同期信号が供給されない期間をエラー期間としてエラー信号を出力する第２のエラー認定手段（例えば、図３のエラー検出回路３２２）と、前記第１及び第２のエラー認定手段から出力されるエラー信号のいずれか一方を選択出力する選択手段（例えば、図１のエラー切換回路３３２）と、この選択回路により選択出力されたエラー信号が供給されている期間はミュート信号を出力するとともに、当該エラー信号が供給されていない期間は前記供給されたＴＳ信号を出力する切替手段（例えば、図１の切換回路３５０）と、を有するデマルチプレクサ回路と、
を備えることを特徴とする。
【発明の効果】
【００２４】
請求項１に記載された発明によれば、同期を表すデータが所定数連続して検出されなかった状態から当該同期信号が所定数連続して検出された状態までの期間をエラー期間とするエラー信号と、供給されるＴＳ信号とは別に当該ＴＳ信号に対応して供給される同期信号が供給されない期間をエラー期間とするエラー信号との、いずれか一方を選択出力することができ、２種類のエラー期間に応じた制御が可能となる。そして、選択出力されたエラー信号が供給されている期間はミュート信号を出力すると共に、当該エラー信号が供給されていない期間は供給されたＴＳ信号を出力する。
【００２５】
したがって、例えば、ＴＳ信号に対応して供給される同期信号が供給されない期間をエラー期間とするエラー信号の場合、当該同期信号を所定数連続して検出することでエラー期間を判定するといった必要が無い。この結果、当該エラー信号を選択出力することで、ＴＳ信号に含まれるＴＳパケットデータの破棄を最小限に抑えることのできるデマルチプレクサ回路を実現できる。
【００２６】
請求項２に記載された発明によれば、同期を表すデータが所定数連続して検出されなかった状態から当該同期信号が所定数連続して検出された状態までの期間をエラー期間とするエラー信号と、復調回路から供給されるＴＳ信号とは別に当該ＴＳ信号に対応して復調回路から供給される同期信号が供給されない期間をエラー期間とするエラー信号との、いずれか一方を選択出力することができ、２種類のエラー期間に応じた制御が可能となる。そして、選択出力されたエラー信号が供給されている期間はミュート信号を出力すると共に、当該エラー信号が供給されていない期間は供給されたＴＳ信号を出力する。
【００２７】
したがって、例えば、ＴＳ信号に対応して供給される同期信号が供給されない期間をエラー期間とするエラー信号の場合、当該同期信号を所定数連続して検出することでエラー期間を判定するといった必要が無い。この結果、当該エラー信号を選択出力することで、ＴＳ信号に含まれるＴＳパケットデータの破棄を最小限に抑えることのできる受信回路を実現できる。
【発明を実施するための最良の形態】
【００２８】
次に、図を参照して、本発明のデマルチプレクサ回路を備える受信回路を利用した地上波デジタルテレビ放送の受信装置について説明する。
【００２９】
［概要］
地上波デジタルテレビ放送受信装置１は、アンテナ５０と、チューナー部１０と、復調部２０と、デマルチプレクサ部３０と、Ｈ２６４デコーダ部４０とを備えて構成されている。アンテナ５０により受信された複数のキャリアに情報が分割され直交変調が成されたＯＦＤＭ方式の受信信号から、チューナー部１０によって選択された放送局のチャネル帯域の信号が抽出される。そして、この抽出された受信信号が復調部２０に入力され、復調部２０は前記抽出された受信信号からＴＳ（Transport Stream：トランスポート・ストリーム）データと呼ばれる伝送に適した信号形式のデータを抽出し、デマルチプレクサ部３０に出力する。デマルチプレクサ部３０は、入力されたＴＳパケットデータに基づいて、同期状態である場合にはＴＳパケットデータを出力し、非同期状態である場合にはミュートデータをＨ２６４デコーダ部４０に出力する。Ｈ２６４デコーダ部４０は、入力されたＴＳパケットデータから映像信号及び音声信号を抽出して出力する。以下、復調部２０及びデマルチプレクサ部３０について説明する。尚、図６で説明した従来の地上波デジタルテレビ放送受信装置９と同一の構成には同一の符号を付し、その詳細な説明を省略する。
【００３０】
［復調部］
復調部２０は、ＡＤＣ２０２と、直交検波回路２０４と、ＦＦＴ回路２０６と、復調回路２０８と、同期生成回路２５０とを備えて構成されている回路である。
【００３１】
チューナー部１０から入力されたアナログの受信信号は、ＡＤＣ２０２によりデジタル信号に変換され、直交検波回路２０４に出力される。そして、ＡＤＣ２０２から入力されたデジタル信号は、直交検波回路２０４において直交復調され、時間領域のＯＦＤＭ信号としてＦＦＴ回路２０６及び同期生成回路２５０に出力される。直交検波回路２０４から入力された時間領域のＯＦＤＭ信号は、ＦＦＴ回路２０６によりＦＦＴ演算が施されることにより、周波数領域のＯＦＤＭ信号として復調回路２０８に出力される。周波数領域のＯＦＤＭ信号は、復調回路２０８により復調され、ＴＳパケットデータを含むＴＳデータＴ１として出力される。
【００３２】
同期生成回路２５０は、直交検波回路２０４から入力された時間領域のＯＦＤＭ信号に含まれる同期信号を検出し、検出された同期信号に基づいて同期確立信号Ｃ１を第２同期処理回路３２０に出力する回路である。同期確立信号Ｃ１の波形の概略を図４（２）に示す。図４（２）に示すとおり、同期確立信号Ｃ１は、時刻ｔ１０から時刻ｔ１２までの間ＯＮとなる。次に、時刻ｔ１６において同期確立信号Ｃ１がＯＮとなる。この同期確立信号Ｃ１がＯＮになる周期（例えば、時刻ｔ１０〜ｔ１６）は、パケット周期と同一である。
【００３３】
［デマルチプレクサ部］
デマルチプレクサ部３０は、第１同期処理回路３１０と、第２同期処理回路３２０と、データ切替回路３３０と、エラー切替回路３３２と、切替回路３５０と、フィルタ回路３６０とを備えて構成されている回路である。
【００３４】
第１同期処理回路３１０は、入力されたＴＳデータＴ１に基づいて、抽出ＴＳデータＳ４をデータ切換回路３３０に、エラー信号Ｓ６をエラー切換回路３３２に出力する回路である。また、第２同期処理回路３２０は、入力されたＴＳデータＴ１及び同期確立信号Ｃ１に基づいて、抽出ＴＳデータＳ３をデータ切換回路３３０に、エラー信号Ｓ５をエラー切換回路３３２に出力する回路である。
【００３５】
データ切換回路３３０は、第１同期処理回路３１０から入力された抽出ＴＳデータＳ４及び抽出ＴＳデータＳ３のうち予め指定されている抽出ＴＳデータを指定抽出ＴＳデータＳ７として出力する回路である。ここで、抽出ＴＳデータＳ４と抽出ＴＳデータＳ３の何れのデータ信号を出力するかは、デマルチプレクサ部３０のＬＳＩ製造時に予め指定されることとしても良いし、地上波デジタルテレビ放送受信装置の製造時に指定されることとしても良い。
【００３６】
エラー切換回路３３２は、第１同期処理回路３１０から入力されたエラー信号Ｓ６及びエラー信号Ｓ５のうち予め指定されているエラー信号を指定エラー信号Ｓ８として出力する回路である。ここで、エラー信号Ｓ６とエラー信号Ｓ５の何れのエラー信号を出力するかは、デマルチプレクサ部３０のＬＳＩ製造時に予め指定されることとしても良いし、地上波デジタルテレビ放送受信装置の製造時に指定されることとしても良い。
【００３７】
ここで、第１同期処理回路３１０及び第２同期処理回路３２０について詳細に説明する。
【００３８】
［第１同期処理回路］
まず、第１同期処理回路３１０について詳細に説明する。第１同期処理回路３１０は、図２に示すように、同期検出回路３１２と、エラー検出回路３１４と、ゲートパルス生成回路３１６と、ＡＮＤ回路３１８とを備えて構成されている。
【００３９】
まず、復調部２０から出力されたＴＳデータＴ１は、同期検出回路３１２及びＡＮＤ回路３１８にそれぞれ入力される。
【００４０】
同期検出回路３１２は、復調部２０から連続的に入力されるＴＳデータＴ１から同期フラグを検出することにより同期を確立する回路である。そして、同期が確立する（同期状態に遷移する）と、同期検出回路３１２は、同期検出信号Ｃ２を同期フラグが検出される毎（パケット周期毎）にエラー検出回路３１４及びゲートパルス生成回路３１６に出力する。
【００４１】
ここで、同期を確立することにより同期状態に遷移させる仕組みについて説明する。まず、同期検出回路３１２にＴＳデータＴ１として連続して入力されているＴＳパケットデータのうち、先頭バイトに同期フラグが設定されたＴＳパケットデータが２回連続して検出された場合、同期／非同期状態を同期状態に遷移させ、その次のパケット周期後から同期検出信号Ｃ２を出力する。
【００４２】
図４を使ってより具体的に説明する。図４は、各信号及び各データを模式的に表した図であり、（１）はＴＳデータＴ１を表している。ＴＳデータＴ１には、ＴＳパケットデータＡ、ＴＳパケットデータＢ、ＴＳパケットデータＣ…が連続して含まれている。また、各ＴＳパケットデータには、それぞれパケットデータ及びパリティデータが含まれている。さらに、パケットデータは、先頭の１バイトが同期バイトとなっている。例えば、ＴＳパケットデータＡの場合、同期バイトＡ１、パケットデータから同期バイトを除いたパケットデータ（以下、適宜「実パケットデータ」という。）Ａ２、パリティデータＡ３から構成されている。なお、本図におけるＴＳパケットデータは、ＴＳパケットデータＡ以降に含まれる同期バイトには同期フラグが設定されているものとして説明する。
【００４３】
まず、同期検出回路３１２が、ＴＳパケットデータＡの同期バイトＡ１に設定されている同期フラグを検出する。そして、次のパケット周期後の同期バイトＢ１に設定されている同期フラグを検出した時刻ｔ１６の時点で、２回連続して同期フラグが検出されたことから、同期検出回路３１２は同期／非同期状態を同期状態に遷移させる。そして、続くパケット周期後である時刻ｔ２０において同期バイトＣ１に設定されている同期フラグが検出され、同期検出信号Ｃ２がＯＮとして出力される（図４（３））。また、ＴＳパケットデータＤ及びＴＳパケットデータＥにおいても、同期検出信号Ｃ２がＯＮとして出力される。
【００４４】
このように、同期検出回路３１２は、入力されるＴＳデータＴ１を監視し、パケット周期で同期フラグを２回連続して検出した場合に、同期／非同期状態を同期状態へ遷移させる。そして、同期状態に遷移させた後は、同期フラグを連続して２回検出できなくなるまで、すなわち同期フラグが検出できない場合が１回あったとしても、同期検出回路３１２は同期状態を維持し、同期検出信号Ｃ２を出力する。
【００４５】
つづいて、同期状態から非同期状態に遷移させる仕組みについて説明する。同期状態において、同期検出回路３１２は、ＴＳデータＴ１から同期フラグをパケット周期で検出している。ここで、ある時刻においてＴＳデータＴ１から同期フラグが検出されず、さらに次のパケット周期後においても同期フラグが検出されない場合、同期が確立できないと判定し非同期状態に遷移させる。すなわち、同期フラグが、２回連続して検出されない場合に、非同期状態に遷移させる。
【００４６】
図５を使って説明する。図５は、各信号及び各データの波形を模式的に表した図であり、図５（１）はＴＳデータＴ１を表している。ＴＳデータＴ１には、ＴＳパケットデータＧ、ＴＳパケットデータＨ、ＴＳパケットデータＪ…が連続して含まれており、例えば、ＴＳパケットデータＧは、同期バイトＧ１と、実パケットデータＧ２と、パリティデータＧ３とから構成されている。なお、本図におけるＴＳパケットデータは、ＴＳパケットデータＨまで（同期バイトＨ１まで）同期フラグが設定されており、ＴＳパケットデータＪ以降のＴＳパケットデータの同期バイト（同期バイトＪ１）には、同期フラグが設定されていないものとして説明する。
【００４７】
まず、同期検出回路３１２は、時刻ｔ５４において同期フラグを検出する。また、同期状態であることから、同期検出信号Ｃ２がＯＮとして出力される。時刻ｔ５４からパケット周期後の時刻ｔ６０において、同期検出回路３１２は、同期フラグを検出することができない。しかし、同期検出回路３１２は、同期状態であることから、同期検出信号Ｃ２をＯＮとして出力する。さらにパケット周期経過後の時刻ｔ６６において、同期検出回路３１２は、同期フラグを検出することができない。ここで、同期検出回路３１２は、２回連続して同期フラグを検出することができなかったことから、非同期状態に遷移させる。そして、更にパケット周期を経過した時刻ｔ７０の時点で、同期検出信号Ｃ２を非同期状態を示すＯＦＦ（ローレベル）として出力する。
【００４８】
エラー検出回路３１４は、同期検出回路３１２から入力された同期検出信号Ｃ２に基づいてエラー信号Ｓ６を出力する回路である。具体的には、エラー検出回路３１４は、同期検出信号Ｃ２がＯＮとして入力されると、当該ＯＮ時から１パケット周期の間、エラー信号Ｓ６の信号レベルをハイレベルとして出力する。
【００４９】
例えば、図４の時刻ｔ２０において、同期検出信号Ｃ２（図４（３））がＯＮとなると、同期検出信号Ｃ２の立ち上がりに応じてエラー信号Ｓ６もハイレベルとなる。そして、パケット周期後（時刻ｔ２６）までハイレベルが保持される。また、時刻ｔ２６において、同期検出信号Ｃ２がＯＮとなると、エラー信号Ｓ６も継続してハイレベルとなる。このように、同期検出信号Ｃ２が連続して入力されている間（同期状態である間）、エラー信号Ｓ６はハイレベルとなる。
【００５０】
ゲートパルス生成回路３１６は、同期検出回路３１２から入力された同期検出信号Ｃ２に基づいてゲートパルス信号Ｓ２を生成し、ＡＮＤ回路３１８に出力する回路である。具体的には、同期検出回路３１２から入力された同期検出信号Ｃ２がＯＮのとき、当該ＴＳパケットデータから実パケットデータを抽出するため、当該実パケットデータの期間、信号レベルをハイレベルとして出力する回路である。
【００５１】
ＡＮＤ回路３１８は、復調部２０から入力されたＴＳデータＴ１と、ゲートパルス生成回路３１６から入力されたゲートパルス信号Ｓ２とのＡＮＤ演算を実行し、抽出ＴＳデータＳ４として出力する回路である。
【００５２】
図４を参照すると、ＡＮＤ回路３１８は、図４（１）のＴＳデータＴ１と、図４（５）のゲートパルス信号Ｓ２とが入力され、ＡＮＤ演算を行って図４（７）の抽出ＴＳデータＳ４として出力する。例えば、ＴＳパケットデータＡの部分（時刻ｔ１０〜ｔ１２、ｔ１６〜ｔ１８の間）は、ゲートパルス信号Ｓ２の出力がローレベルであるため、抽出ＴＳデータＳ４には何も出力されない（ローレベルが出力される）こととなる。
【００５３】
一方、時刻ｔ２０において、同期検出信号Ｃ２がＯＮとなると、ゲートパルス生成回路３１６は、時刻ｔ２２から時刻ｔ２４の間（実パケットデータＣ２の間）、ゲートパルス信号Ｓ２をハイレベルとして出力する。したがって、ＴＳパケットデータＣのうち、ゲートパルス信号Ｓ２がハイレベルとなっている実パルスデータＣ２の部分が抽出ＴＳデータＳ４として出力される。同様に、ＴＳパケットデータＤについては実パルスデータＤ２の部分が、ＴＳパケットデータＥについては実パルスデータＥ２の部分がそれぞれ抽出ＴＳデータとして出力される。
【００５４】
［第２同期処理回路］
続いて、第２同期処理回路３２０について説明する。第２同期処理回路３２０は、図３に示すように、エラー検出回路３２２と、ゲートパルス生成回路３２４と、ＡＮＤ回路３２６とを備えて構成されている。同期生成回路２５０から出力された同期確立信号Ｃ１は、エラー検出回路３２２及びゲートパルス生成回路３２４に入力される。
【００５５】
エラー検出回路３２２は、上述したエラー検出回路３１４と同じ動作を行う回路であり、入力された同期確立信号Ｃ１に基づいてエラー信号Ｓ５を出力する回路である。具体的には、エラー検出回路３２２は、同期確立信号Ｃ１がＯＮとして入力されると、当該ＯＮ時から１パケット周期の間、信号レベルをハイレベルとするエラー信号Ｓ５を出力する。
【００５６】
例えば、図４の時刻ｔ１０において、同期確立信号Ｃ１がＯＮとなると、エラー信号Ｓ５の信号レベルがハイレベルとなる。そして、１パケット周期の間（時刻ｔ１０〜時刻ｔ１６）、エラー信号Ｓ５の信号レベルがハイレベルに保持される。また、時刻ｔ１６において、同期確立信号Ｃ１がＯＮとなることから、エラー信号Ｓ５の信号レベルが再びハイレベルに保持される。このように、同期確立信号Ｃ１がパケット周期毎に出力されている間、エラー信号Ｓ５の信号レベルはハイレベルのまま維持される。
【００５７】
ゲートパルス生成回路３２４は、同期生成回路２５０から入力された同期確立信号Ｃ１に基づいてゲートパルス信号Ｓ１を生成し、ＡＮＤ回路３２６に出力する回路である。ここで、ゲートパルス生成回路３２４は、上述したゲートパルス生成回路３１６と同じ動作を行う回路である。すなわち、同期生成回路２５０から入力された同期確立信号Ｃ１がＯＮのとき、当該ＴＳパケットデータから実パケットデータを抽出するため、当該実パケットデータの期間、信号レベルをハイレベルとして出力する。また、ＡＮＤ回路３２６は、復調部２０から入力されたＴＳデータＴ１と、ゲートパルス生成回路３２４から入力されたゲートパルス信号Ｓ２とのＡＮＤ演算を実行し、抽出ＴＳデータＳ３として出力する回路である。
【００５８】
具体的に図４を参照して説明する。図４（４）のゲートパルス信号Ｓ１がハイレベルとなっている期間のＴＳデータＴ１が、図４（６）の抽出ＴＳ信号Ｓ３として出力される。例えば、ＴＳパルスデータＡ（時刻ｔ１０〜時刻ｔ１６）から実パルスデータＡ２（時刻ｔ１２〜時刻ｔ１４）が抽出ＴＳデータＳ３として抽出される。
【００５９】
［切換回路］
切換回路３５０は、エラー切換回路３３２により出力された指定エラー信号Ｓ８に基づいて、指定抽出ＴＳデータＳ７とミュートデータとを切り替えてフィルタ回路３６０に出力する回路である。指定エラー信号Ｓ８がローレベルのときは、ミュートデータを出力し、指定抽出ＴＳデータＳ７を出力しない。また、指定エラー信号Ｓ８がハイレベルのときは、指定抽出ＴＳデータＳ７を出力する。
【００６０】
具体的に図４を用いて説明する。まず、データ切換回路３３０により抽出ＴＳデータＳ４（図４（７））が、エラー切換回路３３２によりエラー信号Ｓ６（図４（９））が選択されている場合、エラー信号Ｓ６は、時刻ｔ２０までローレベルのため、切換回路３５０は時刻ｔ２０までミュートデータをフィルタ回路３６０に出力する。また、時刻ｔ２０以降は、エラー信号Ｓ６がハイレベルであるため、切換回路３５０は抽出ＴＳデータＳ４をフィルタ回路３６０に出力する。
【００６１】
また、データ切換回路３３０により抽出ＴＳデータＳ３（図４（６））が、エラー切換回路３３２によりエラー信号Ｓ５（図４（８））が選択されている場合、エラー信号Ｓ５は時刻ｔ１０までローレベルのため、切換回路３５０は時刻ｔ１０までミュートデータをフィルタ回路３６０に出力する。そして、時刻ｔ１０以降は、エラー信号Ｓ５がハイレベルであるため、切換回路３５０は抽出ＴＳデータＳ３をフィルタ回路３６０に出力する。
【００６２】
［効果］
このように、データ切換回路３３０により抽出ＴＳデータＳ４が指定され、エラー切換回路３３２によりエラー信号Ｓ６が指定されている場合（すなわち第１同期処理回路３１０が指定されている場合）、ＴＳデータＴ１に含まれる同期フラグに基づいてＴＳパケットデータとミュートデータとを切り替えてＨ２６４デコーダ４０に出力することができる。したがって、復調部２０において、同期確立信号Ｃ１が出力されない場合であっても、デマルチプレクサ部３０は、同期が確立していない（エラーとなっている）ＴＳパケットデータをミュートデータとして出力することができる。
【００６３】
また、データ切換回路３３０により抽出ＴＳデータＳ３が指定され、エラー切換回路３３２によりエラー信号Ｓ５が指定されている場合（すなわち第２同期処理回路３２０が指定されている場合）、復調部２０から出力される同期確立信号Ｃ１に基づいてＴＳパケットデータとミュートデータとを切り替えて出力することができる。したがって、復調部２０から出力される同期確立信号Ｃ１を利用することにより、ＴＳデータＴ１を利用する場合と比較して同期状態に早く遷移し、より多くのＴＳパケットデータを出力することができる。
【００６４】
例えば、図４において、第１同期処理回路３１０が指定されている場合、同期フラグＡ１及び同期フラグＢ１を検出することにより同期状態に遷移する。したがって、ＴＳパケットデータＡ及びＴＳパケットデータＢはミュートデータとして出力される（図４（７））。一方、第２同期処理回路３２０が指定されている場合、同期確立信号Ｃ１（図４（２））に基づいて同期状態に遷移し、ＴＳパケットデータＡ及びＴＳパケットデータＢについても抽出ＴＳデータＳ３として出力されることとなる（図４（６））。
【００６５】
上述した動作の例としては、非同期状態から同期状態に遷移する場合の回路動作を中心に説明した。そこで、次に、同期状態から非同期状態に遷移する場合の回路動作について、図５を参照して説明する。
【００６６】
まず、データ切換回路３３０により抽出ＴＳデータＳ４が、エラー切換回路３３２によりエラー信号Ｓ６が指定されている場合（第１同期処理回路３１０が指定されている場合）について説明する。
【００６７】
図５は、上述したように、ＴＳパケットデータＨまで同期フラグが設定されており、ＴＳパケットＪ以降は同期フラグが設定されていない場合における各信号・データの概略波形である。
【００６８】
同期検出回路３１２により、時刻ｔ６０及び時刻ｔ６６と２回連続して同期フラグの検出がなされないことから、同期状態が非同期状態に遷移される。したがって、時刻ｔ６６から更に１パケット周期経過した時刻ｔ７０から同期検出信号Ｃ２がＯＦＦ（ローレベルの信号）として出力される。
【００６９】
エラー検出回路３１４は、同期検出信号Ｃ２（図５（３））がＯＮとなると、当該ＯＮから１パルス周期の間、エラー信号Ｓ６の信号レベルをハイレベルとして出力する。そして図５（９）の時刻ｔ７０において、同期検出信号Ｃ２がＯＦＦのままであるので、エラー信号Ｓ６の信号レベルがローレベルとなる。したがって、ＴＳパケットデータＬ以降は非同期状態（エラー状態）となり、ミュートデータが出力される。
【００７０】
つづいて、データ切換回路３３０により抽出ＴＳデータＳ３が、エラー切換回路３３２によりエラー信号Ｓ５が指定されている場合（第２同期処理回路３２０が指定されている場合）について説明する。
【００７１】
エラー検出回路３２２及びゲートパルス生成回路３２４には、同期生成回路２５０から同期確立信号Ｃ１（図５（２））が入力されている。エラー検出回路３２２は、時刻ｔ６０において同期確立信号Ｃ１がＯＦＦとなると、エラー信号Ｓ５（図５（８））をローレベルとして出力する。また、ゲートパルス生成回路３２４も、時刻ｔ６０において、同期確立信号Ｃ１がＯＦＦとなるため、ゲートパルス信号Ｓ１をローレベルとして出力する。したがって、ＴＳパケットデータＪ以降は非同期状態（エラー状態）となり、ミュートデータが出力される。
【００７２】
このように、第２同期処理回路３２０が指定されている場合、第１同期処理回路３１０が指定されている場合と比較して、復調部２０から入力される同期確立信号Ｃ１に基づいて、同期フラグが設定されていないＴＳパケットデータを確実にミュートデータに切り替えて出力することができる。
【００７３】
［変形例］
なお、上述した実施形態では、地上波デジタルテレビ放送受信装置に適用する例を説明したが、本発明の適用可能な製品がこれに限定されるものではない。例えば、ＤＶＤ−Ｖｉｄｅｏ、ＢＳデジタル放送、デジタルＣＡＴＶ等の信号から復調されたＴＳデータを本実施形態におけるデマルチプレクサ部に入力することとしても良い。
【図面の簡単な説明】
【００７４】
【図１】本実施形態の地上波デジタルテレビ受信装置のブロック図である。
【図２】第１同期処理回路のブロック構成を示す図である。
【図３】第２同期処理回路のブロック構成を示す図である。
【図４】デマルチプレクサ部の動作に係る波形（同期状態に遷移する場合）を示した図である。
【図５】デマルチプレクサ部の動作に係る波形（非同期状態に遷移する場合）を示した図である。
【図６】従来の地上波デジタルテレビ受信装置のブロック図である。
【図７】ＴＳパケットデータの構成の一例を示した図である。
【符号の説明】
【００７５】
１  地上波デジタルテレビ受信装置
１０  チューナー部
２０  復調部
２０２  ＡＤＣ
２０４  直交検波回路
２０６  ＦＦＴ回路
２０８  復調回路
２５０  同期生成回路
３０  デマルチプレクサ部
３１０  第１同期処理回路
３１２  同期検出回路
３１４  エラー検出回路
３１６  ゲートパルス生成回路
３１８  ＡＮＤ回路
３２０  第２同期処理回路
３２２  エラー検出回路
３２４  ゲートパルス生成回路
３２６  ＡＮＤ回路
３３０  データ切換回路
３３２  エラー切換回路
３５０  切換回路
３６０  フィルタ回路
４０  Ｈ２６４デコーダ
【図１】
2006261775.tif 000003
【図２】
2006261775.tif 000004
【図３】
2006261775.tif 000005
【図４】
2006261775.tif 000006
【図５】
2006261775.tif 000007
【図６】
2006261775.tif 000008
【図７】
2006261775.tif 000009